(57)【要約】【課題】塵埃等を捕捉するフィルタを備えた電気機器であって、比較的簡素な機構を用いてフィルタの表面を非人為的に清掃することが可能な電気機器を提供する。【解決手段】空気清浄機１００は、送風機１０と通風路１１とフィルタ２０と集塵装置３０と通風路１２と障壁部材４０とを備えている。送風機１０は風を発生させる。通風路１１では、送風機１０によって送風される空気が通る。フィルタ２０は、通風路１１に配置され、通風路１１を流れる空気に含まれる塵埃を捕捉する。集塵装置３０は、フィルタ２０に堆積した塵埃を回収する。通風路１２は、開口部１３を有し、通風路１１と集塵装置３０とを接続している。開口部１３の少なくとも一部は、通風路１１を流れる空気の流れ方向に関してフィルタ２０の上流側に位置している。障壁部材４０は、開口部１３を開放または閉塞するように移動することが可能である。【選択図】図１
2012037082.tif 000002
【特許請求の範囲】
【請求項１】
風を発生させる送風機と、
前記送風機によって送風される空気が通る第１の通風路と、
前記第１の通風路に配置され、前記第１の通風路を流れる空気に含まれる塵埃を捕捉するフィルタと、
前記フィルタに捕捉されることによってフィルタに堆積した塵埃を回収する集塵装置と、
前記第１の通風路を流れる空気の流れ方向に関して少なくとも一部が前記フィルタの上流側に位置する開口部を有し、前記第１の通風路と前記集塵装置とを接続する第２の通風路と、
前記開口部を開放または閉塞するように移動可能な障壁部材と、
を備えた、電気機器。
【請求項２】
前記集塵装置は、サイクロン装置である、
請求項１に記載の電気機器。
【請求項３】
前記フィルタを掃くことによって前記フィルタから塵埃を除去する清掃部材をさらに備えた、
請求項１または請求項２に記載の電気機器。
【請求項４】
前記清掃部材は前記障壁部材を有している、
請求項３に記載の電気機器。
【請求項５】
前記第２の通風路を形成する前記電気機器の外郭に配置された透明状の窓を備えた、
請求項１から請求項４までのいずれか１項に記載の電気機器。
【請求項６】
前記フィルタは、粗塵を捕捉するプレフィルタと、吸着材が坦持されて微粒子を捕捉する高密度フィルタと、を有し、
前記プレフィルタと前記高密度フィルタとは、前記第１の通風路を流れる空気の流れ方向の上流から下流に向かって前記プレフィルタと前記高密度フィルタとの順に前記第１の通風路に配置されている、
請求項１から請求項５までのいずれか１項に記載の電気機器。
【請求項７】
前記第２の通風路の前記開口部は、前記第１の通風路を流れる空気の流れ方向に対して略直角方向を向くように、前記第１の通風路に向かって開口している、
請求項１から請求項６までのいずれか１項に記載の電気機器。
【発明の詳細な説明】
【技術分野】
【０００１】
この発明は、一般的には塵埃等を捕捉するフィルタを備えた空気清浄機または空気調和機等の電気機器に関し、特定的には、空気清浄機または空気調和機等の電気機器のフィルタに堆積する塵埃等を回収する機構に関する。
【背景技術】
【０００２】
図８に示すように、従来の空気清浄機または空気調和機等の電気機器９０は、送風機９１とフィルタ９２とを一般的に備えている。送風機９１は、空気を電気機器９０の内部に吸入し且つ吸入した空気を電気機器９０の内部から外部に送出する。送風機９１が吸入した空気は、空気流路９３を通る。フィルタ９２は、空気流路９３に配置され、粗塵等を捕集する。送風機９１によって電気機器９０の内部に取り込まれた空気は、フィルタ９２を通風することによって清浄化される。
【０００３】
電気機器９０が比較的長期にわたって使用されたときには、塵埃等がフィルタ９２に堆積することがある。これにより、電気機器９０の内部に吸入されるときにフィルタ９２を通る空気の圧力損失が上昇し、フィルタ９２を通風する風の量が低下する。その結果、電気機器９０の使用に係る消費電力が上昇する。そのため、フィルタ９２の表面を使用者が定期的に清掃したり、フィルタ９２の表面を非人為的に清掃したりすることが必要である。なお、非人為的にフィルタを清掃することとは、使用者の手がフィルタに触れることなくフィルタの表面が清掃されるという意味である。
【０００４】
例えば、特開２００７−３０９５８１号公報（以下では特許文献１という）に記載された空気調和機が知られている。特許文献１に係る空気調和機は、フィルタの表面を非人為的に清掃するフィルタ清掃機構を有している。
【先行技術文献】
【特許文献】
【０００５】
【特許文献１】特開２００７−３０９５８１号公報
【発明の概要】
【発明が解決しようとする課題】
【０００６】
しかしながら、特許文献１に係る空気調和機のフィルタ清掃機構は、フィルタの表面の全体にわたって移動するように構成されている。その結果、特許文献１に係る空気調和機では、フィルタの表面を清掃する機構は、構造が比較的大きく且つ複雑である。そのため、比較的簡素な機構を用いて非人為的にフィルタの表面を清掃することが望まれていた。
【０００７】
そこで、この発明の目的は、塵埃等を捕捉するフィルタを備えた電気機器であって、比較的簡素な機構を用いてフィルタの表面を非人為的に清掃することが可能な電気機器を提供することである。
【課題を解決するための手段】
【０００８】
この発明に従った電気機器は、送風機と、第１の通風路と、フィルタと、集塵装置と、第２の通風路と、障壁部材とを備えている。送風機は風を発生させる。第１の通風路では、送風機によって送風される空気が通る。フィルタは、第１の通風路に配置され、第１の通風路を流れる空気に含まれる塵埃を捕捉する。集塵装置は、フィルタに捕捉されることによってフィルタに堆積した塵埃を回収する。第２の通風路は、開口部を有し、第１の通風路と集塵装置とを接続している。開口部の少なくとも一部は、第１の通風路を流れる空気の流れ方向に関してフィルタの上流側に位置している。障壁部材は、開口部を開放または閉塞するように移動することが可能である。
【０００９】
この発明によれば、第２の通風路の開口部は、障壁部材が移動することによって開放または閉塞される。障壁部材によって開口部が開放されるときには、送風機によって送風される空気が第１の通風路から第２の通風路に流れる。このとき、フィルタに堆積した塵埃は、第１の通風路から第２の通風路に流れる空気に含まれている。第１の通風路から第２の通風路に流れる空気に含まれた塵埃が第２の通風路から集塵装置に流れることにより、フィルタに堆積した塵埃が集塵装置に回収される。フィルタに堆積した塵埃を集塵装置が回収することにより、電気機器の使用者は、自身の手がフィルタに触れることなくフィルタの表面を清掃することができる。このように、フィルタの表面に堆積した粗塵は、送風機が発生させる風力と集塵装置とによって非人為的に取り除かれる。つまり、この発明に係る電気機器は、フィルタの表面に堆積した粗塵を、第２の通風路を介して回収する集塵装置と、風力を発生させる送風機とを備えているだけであって、フィルタの表面の全体にわたって移動するような機構を備えていない。そのため、この発明に係る電気機器は、比較的簡素な機構を用いてフィルタの表面を非人為的に清掃することができる。したがって、この発明によれば、比較的簡素な機構を用いてフィルタの表面を非人為的に清掃することが可能な電気機器を提供することができる。
【００１０】
この発明に従った電気機器では、集塵装置はサイクロン装置であることが好ましい。
【００１１】
集塵装置がサイクロン装置であることにより、塵埃等の粗塵を回収するときの性能の低下を抑制することができる。
【００１２】
この発明に従った電気機器は、清掃部材をさらに備えていることが好ましい。清掃部材は、フィルタを掃くことによってフィルタから塵埃を除去する。
【００１３】
この発明に従った電気機器では、送風機は、清掃部材によってフィルタから除去された塵埃を第１の通風路から第２の通風路に流す。集塵装置は、第２の通風路に流れる空気に含まれた塵埃を回収する。すなわち、送風機が発生させる風力のみによってフィルタの表面に堆積した塵埃を集塵装置が回収する場合に比べ、フィルタの表面の汚れをさらに除去することができる。そのため、この発明に従った電気機器は、より清潔にフィルタの表面を清掃することができる。
【００１４】
この発明に従った電気機器では、清掃部材は障壁部材を有していることが好ましい。
【００１５】
清掃部材が障壁部材を有している場合は、清掃部材が障壁部材を兼ねている。これにより、電気機器に係る部品の点数を削減することができる。また、電気機器の使用者が清掃部材を用いてフィルタの表面を掃く際は、障壁部材としての清掃部材が移動することによって第２の通風路の開口部が開放される。すなわち、この発明に従った電気機器では、清掃部材によってフィルタの表面が掃かれるときには、都合よく開口部が開放される。開口部が開放されるときには、フィルタの表面に堆積した塵埃とフィルタから除去された塵埃とを集塵装置が回収することができる。
【００１６】
この発明に従った電気機器は、透明状の窓を備えていることが好ましい。窓は、第２の通風路を形成する電気機器の外郭に、配置されていることが好ましい。
【００１７】
この構成によれば、使用者は、第２の通風路を通る塵埃を、電気機器の外部から窓を通して視認することができる。つまり、使用者は、フィルタに付着した汚れの程度を、窓を通して視認することができる。そのため、この発明に従った電気機器は、使用者に対して利便性が図られた機器であるといえる。
【００１８】
この発明に従った電気機器では、フィルタはプレフィルタと高密度フィルタとを有していることが好ましい。プレフィルタは粗塵を捕捉する。高密度フィルタには、吸着材が坦持されている。高密度フィルタは微粒子を捕捉する。また、プレフィルタと高密度フィルタとは、第１の通風路を流れる空気の流れ方向の上流から下流に向かってプレフィルタと高密度フィルタとの順に第１の通風路に配置されていることが好ましい。
【００１９】
この発明に従った電気機器では、集塵装置がプレフィルタの表面に堆積した粗塵を回収することにより、プレフィルタの表面の汚れが除去される。第１の通風路を流れる空気に含まれる粗塵はプレフィルタの表面に容易に付着するため、プレフィルタの表面に堆積した粗塵は送風機の風力によってプレフィルタの表面から比較的簡単に除去される。また、この発明に従った電気機器が、第２の通風路を形成する電気機器の外郭に配置された透明状の窓を備えている場合は、使用者は、プレフィルタの表面から除去される粗塵を、窓を通して視認することができる。
【００２０】
この発明に従った電気機器では、第２の通風路の開口部は、第１の通風路を流れる空気の流れ方向に対して略直角方向を向くように、第１の通風路に向かって開口していることが好ましい。
【００２１】
この構成によれば、集塵装置が塵埃を回収するときの第２の通風路での空気の流れは、送風機によって送風される第１の通風路の空気の流れの影響を受けにくい。例えば、送風機によって送風される第１の通風路の空気の流れ方向に対し、第２の通風路を流れる空気の流れ方向が略同一方向であるように、開口部が第１の通風路に向かって開口している場合は、第２の通風路を流れる空気の流れは、フィルタの表面に堆積した塵埃をフィルタにさらに付着させるように作用する。また、例えば、第２の通風路を流れる空気の流れ方向が、送風機によって送風される第１の通風路の空気の流れ方向に対して略逆方向である場合は、送風機が発生させる風が第２の通風路から集塵装置に流れにくい。このように、この発明に従った電気機器では、送風機が発生させる風力を効率よく発揮させることができる。
【発明の効果】
【００２２】
以上のように、この発明によれば、比較的簡素な機構を用いてフィルタの表面を非人為的に清掃することが可能な電気機器を提供することができる。
【図面の簡単な説明】
【００２３】
【図１】第１実施形態に係る空気清浄機の内部の構造を模式的に示す、送風方向に沿った断面図である。
【図２】フィルタを清掃するときの第１実施形態に係る空気清浄機の内部の構造を模式的に示す、送風方向に沿った断面図である。
【図３】第１実施形態に係る空気清浄機の制御ブロック図である。
【図４】第１実施形態に係る空気清浄機の内部の構造を模式的に示す、送風方向と直交する方向に沿った断面図である。
【図５】フィルタを清掃するときの第２実施形態に係る空気清浄機の内部の構造を模式的に示す、送風方向に沿った断面図である。
【図６】清掃部材を示す図であって、（Ａ）は正面図であり、（Ｂ）は側面図である。
【図７】第２実施形態に係る空気清浄機の内部の構造を模式的に示す、送風方向と直交する方向に沿った断面図である。
【図８】従来の空気清浄機の内部の構造を模式的に示す図である。
【発明を実施するための形態】
【００２４】
以下、この発明の実施の形態を図面に基づいて説明する。
【００２５】
（第１実施形態）
図１に電気機器の一例である空気清浄機１００を示す。電気機器は空気調和機であってもよい。空気清浄機１００は送風機１０と通風路１１とフィルタ２０と集塵装置３０とを備えている。空気清浄機１００の外枠１は空気の吸入口２を有している。外枠１は空気清浄機１００の外郭を形成している。吸入口２は空気清浄機１００の外枠１の前部に形成されている。送風機１０は風を発生させる。送風機１０によって送風される空気は、通風路１１を通る。第１の通風路としての通風路１１は、空気清浄機１００の外枠１の内部に形成されている。送風機１０によって送風される空気は、吸入口２を通ることにより、空気清浄機１００の外方から外枠１の内部に流入する。
【００２６】
送風機１０とフィルタ２０と集塵装置３０とは、空気清浄機１００の外枠１に覆われている。つまり、空気清浄機１００の外枠１は、送風機１０とフィルタ２０と集塵装置３０とを収容している。
【００２７】
図１等に示す送風機１０は、空気清浄機１００での送風機１０の配置を示すものである。送風機１０の寸法または構成は特に限定されない。空気清浄機１００に係る送風機１０は、空気清浄機１００の外枠１の内部に配置されている。なお、送風機１０は外枠１の外側に取り付けられていてもよい。
【００２８】
フィルタ２０は通風路１１に配置されている。フィルタ２０は、通風路１１を流れる空気に含まれる塵埃を捕捉する。集塵装置３０は、フィルタ２０に捕捉されることによってフィルタ２０に堆積した塵埃を回収する。
【００２９】
集塵装置３０はサイクロン装置である。ただし、集塵装置３０は、サイクロン装置に限定されず、フィルタ２０の表面に堆積した粗塵等の塵埃を集塵装置３０の内部に吸入するものであってもよい。
【００３０】
フィルタ２０は、プレフィルタ２１と高密度フィルタ２２とを有している。プレフィルタ２１と高密度フィルタ２２とは、通風路１１を流れる空気の流れ方向の上流から下流に向かってプレフィルタ２１と高密度フィルタ２２との順に通風路１１に配置されている。図１に示すように、フィルタ２０は、通風路１１を流れる空気の流れ方向に関して、上流端２８と下流端２９とを有している。
【００３１】
なお、図１に示す空気清浄機１００の断面図は、空気清浄機１００の所定の位置を送風機１０の送風方向で切った断面を空気清浄機１００の上方から見た図である。図１の紙面下方は空気清浄機１００の前方であり、図１の紙面上方は空気清浄機１００の後方である。また、図１の紙面の左右方向は空気清浄機１００の左右方向であり、空気清浄機１００の左右方向は空気清浄機１００の幅方向である。図１の紙面上下方向は空気清浄機１００の奥行き方向である。通風路１１を流れる空気は、図１の下方から上方に、すなわち、空気清浄機１００の前方から後方に向かって流れている。空気清浄機１００の外方から吸入口２を介して外枠１の内部に流入した空気は、空気清浄機１００の背面に設けられた吹出口（図示せず）から外枠１の外部に吹き出される。
【００３２】
プレフィルタ２１は粗塵を捕捉する。高密度フィルタ２２は、プレフィルタ２１にて捕捉されないような花粉等の微粒子を捕捉する。高密度フィルタ２２には、図示しない吸着材が坦持されている。吸着材は、例えば活性炭のような多孔質材料によって形成されている。吸着材は、他の多孔質材料であってもよい。また、高密度フィルタ２２は、花粉等の微粒子を捕捉するＨＥＰＡフィルタ（High Efficiency Particulate Air Filter）を有していてもよい。
【００３３】
通風路１１と集塵装置３０とは、第２の通風路としての通風路１２を介して互いに接続されている。言い換えると、通風路１２は通風路１１と集塵装置３０とを接続している。図２に示すように、通風路１２は開口部１３を有している。通風路１２の開口部１３は、通風路１１を流れる空気の流れ方向に関してフィルタ２０の上流端２８よりも上流且つフィルタ２０の下流端２９よりも上流に位置している。なお、通風路１１に対する開口部１３の位置については、開口部１３の少なくとも一部が、通風路１１を流れる空気の流れ方向に関してフィルタ２０の上流側に位置していればよい。
【００３４】
空気清浄機１００は、障壁部材４０を備えている。図１と図２とに示すように、障壁部材４０は、回転中心４１を中心に、開口部１３において所定の角度内にて回転自在である。これにより、障壁部材４０は、開口部１３のうちの少なくともフィルタ２０の上流側の部分を開放または閉塞するように移動することができる。図１では障壁部材４０は開口部１３を閉塞しており、図２では障壁部材４０は開口部１３を開放している。図１と図２とを参照するように、空気清浄機１００の平面視において、障壁部材４０が回転中心４１を中心に時計方向に回転する場合には、障壁部材４０は開口部１３を開放する。
【００３５】
障壁部材４０は、例えば、図示しないモータの作動によって回転中心４１を中心に回転することができる。障壁部材４０は、ソレノイドを利用した機構を有していてもよい。
【００３６】
障壁部材４０は、使用者の指示もしくは空気清浄機１００の制御部５０からの指示により、自動的に開口部１３を開放または閉塞することができる。図３に示すように、空気清浄機１００は制御部５０を備えている。制御部５０は、送風機１０と障壁部材４０とを制御する。制御部５０は、タイマ５１と検知部５２と判断部５３とを有している。タイマ５１は、空気清浄機１００の運転の積算時間を計測または算出することができる。タイマ５１にて計測または算出された空気清浄機１００の運転の積算時間に基づき、判断部５３は、フィルタ２０の清掃が必要であるか否かを判断する。判断部５３による判断の結果に基づき、送風機１０と障壁部材４０とが制御部５０に制御される。このように、空気清浄機１００では、フィルタ２０の表面を自動的に清掃することができる。
【００３７】
図３に示すように、空気清浄機１００は、操作部６０を備えている。操作部６０には、フィルタ２０の清掃を開始するときに使用者に使用されるボタン６１が設けられている。空気清浄機１００の使用者がボタン６１を操作する場合は、制御部５０の検知部５２はボタン６１が操作されたことを検知する。判断部５３は、使用者によってボタン６１が操作され、フィルタ２０の清掃が必要であることを判断することができる。なお、制御部５０は、図示しないリモコンが使用者に操作されることにより、フィルタ２０の清掃を開始するように送風機１０と障壁部材４０とを制御していてもよい。
【００３８】
障壁部材４０が開口部１３を開放し且つ送風機１０が作動している場合は、フィルタ２０の表面に堆積した粗塵等の塵埃が通風路１２を通って集塵装置３０の内部に流入する。フィルタ２０の表面には、フィルタ２０の上流端２８に位置する部分を含んでいる。
【００３９】
図１と図４とに示すように、集塵装置３０は流入口３１を有している。流入口３１は、集塵装置３０に設けられた開口である。通風路１２を通る空気と塵埃とは、流入口３１を通って集塵装置３０の内部に流入する。図４に示すように、流入口３１は集塵装置３０の上部３２に配置されている。集塵装置３０の上部３２とは、集塵装置３０の上下方向に関する中央の位置よりも上方の部分のことをいう。流入口３１は、集塵装置３０の排気管３３を除いた部分の上端から、集塵装置３０の上下方向の寸法の１／３程度下方に位置している。流入口３１は、排気管３３の下端３４よりも上方に配置されている。
【００４０】
集塵装置３０は、円筒形状を有している。図２に示すように、通風路１１のうちのフィルタ２０の上流端２８よりも上流側の部分は、開口部１３を介して通風路１２に接続されている。図４に示すように、通風路１２の断面積は、開口部１３から集塵装置３０の流入口３１に向かって次第に小さくなっている。流入口３１の開口度は、開口部１３の開口度よりも小さい。フィルタ２０に塵埃等が多量に堆積することでフィルタ２０が目詰まりしているときは、通風路１１を流れる空気の圧力損失が上昇する。
【００４１】
そのため、フィルタ２０が目詰まりしているときは、送風機１０が発生させる風によって通風路１１を流れる空気は、吸入口２からフィルタ２０を通過しにくい。その結果、フィルタ２０が目詰まりしているときは、通風路１２の開口部１３が開放されることにより、フィルタ２０の表面に堆積した塵埃が通風路１２を通って集塵装置３０の内部に容易に回収される。
【００４２】
集塵装置３０は、集塵部３５を有している。集塵部３５は、集塵装置３０の下部に配置されている。集塵装置３０の下部とは、集塵装置３０の上下方向に関する中央の位置よりも下方の部分のことをいう。サイクロン装置である集塵装置３０により、集塵装置３０の内部に流入した空気から遠心分離された塵埃は、集塵部３５に蓄積する。集塵部３５は、集塵装置３０の本体から着脱自在であるように構成されている。排気管３３は、集塵装置３０の上部３２に配置されている。排気管３３は通風路１１に接続されている（図１参照）。集塵装置３０の内部に流入した塵埃を含む空気のうち、塵埃が分離された空気は排気管３３から通風路１１に流出する。
【００４３】
空気清浄機１００では、通風路１２の開口部１３は、通風路１１を流れる空気の流れ方向に対して略直角方向を向くように、通風路１１に向かって開口している。図１に示すように、通風路１１を流れる空気の流れ方向は、空気清浄機１００の前方から後方へ向かう方向である。また、通風路１１を流れる空気の流れ方向は、図４の紙面表側から裏側へ向かう方向である。一方、開口部１３は、図４の左方から右方を向くように、通風路１１に向かって開口している。図１に示すように、通風路１１は空気清浄機１００の前方から後方に向かって延びている。通風路１２は、空気清浄機１００の左方から右方に向かって延びている。
【００４４】
なお、開口部１３が、通風路１１を流れる空気の流れ方向に対して略直角方向を向くように、通風路１１に向かって開口している場合の例は、上述したものに限定されない。例えば、図１に示す通風路１１を流れる空気の流れ方向（これは図１の紙面の下方から上方に向かう方向）に対し、開口部１３は、図１の紙面の表側から裏側または図１の紙面の裏側から表側へ向くように、通風路１１に向かって開口していてもよい。なお、図１等にて破線で示す矢印は、空気が流れる方向を概略的に示すものであり、空気の流速または規模を示すものではない。
【００４５】
図１に示すように、空気清浄機１００は窓３を備えている。窓３は、通風路１２を形成する空気清浄機１００の外枠１に配置されている。窓３は透明状の材料で形成されている。そのため、使用者は、通風路１２を通る塵埃を通風路１２の外部から視認することができる。
【００４６】
なお、障壁部材４０は、空気清浄機１００の外枠１に着脱自在に取り付けられていてもよい。この場合には、空気清浄機１００の使用者は、空気清浄機１００の外枠１から障壁部材４０を取り外すことができる。また、この場合には、障壁部材４０は、可撓性を有していてもよい。障壁部材４０が可撓性を有している場合には、使用者は空気清浄機１００の外枠１から障壁部材４０を容易に取り外すことができる。障壁部材４０が空気清浄機１００の外枠１から取り外されるときは、開口部１３が開放される。障壁部材４０が空気清浄機１００の外枠１に着脱自在に取り付けられている場合には、障壁部材４０は制御部５０に制御されなくてもよい。
【００４７】
以上のように、空気清浄機１００は、送風機１０と、通風路１１と、フィルタ２０と、集塵装置３０と、通風路１２と、障壁部材４０とを備えている。送風機１０は風を発生させる。通風路１１では、送風機１０によって送風される空気が通る。フィルタ２０は、通風路１１に配置され、通風路１１を流れる空気に含まれる塵埃を捕捉する。集塵装置３０は、フィルタ２０に捕捉されることによってフィルタ２０に堆積した塵埃を回収する。通風路１２は、開口部１３を有し、通風路１１と集塵装置３０とを接続している。開口部１３の少なくとも一部は、通風路１１を流れる空気の流れ方向に関してフィルタ２０の上流側に位置している。障壁部材４０は、開口部１３を開放または閉塞するように移動することが可能である。
【００４８】
空気清浄機１００では、通風路１２の開口部１３は、障壁部材４０が移動することによって開放または閉塞される。障壁部材４０によって開口部１３が開放されるときには、送風機１０によって送風される空気が通風路１１から通風路１２に流れる。このとき、フィルタ２０に堆積した塵埃は、通風路１１から通風路１２に流れる空気に含まれている。通風路１１から通風路１２に流れる空気に含まれた塵埃が通風路１２から集塵装置３０に流れることにより、フィルタ２０に堆積した塵埃が集塵装置３０に回収される。フィルタ２０に堆積した塵埃を集塵装置３０が回収することにより、空気清浄機１００の使用者は、自身の手がフィルタ２０に触れることなくフィルタ２０の表面を清掃することができる。このように、フィルタ２０の表面に堆積した粗塵は、送風機１０が発生させる風力と集塵装置３０とによって非人為的に取り除かれる。つまり、空気清浄機１００は、フィルタ２０の表面に堆積した粗塵を、通風路１２を介して回収する集塵装置３０と、風力を発生させる送風機１０とを備えているだけであって、フィルタ２０の表面の全体にわたって移動するような機構を備えていない。そのため、空気清浄機１００は、比較的簡素な機構を用いてフィルタ２０の表面を非人為的に清掃することができる。したがって、本実施形態によれば、比較的簡素な機構を用いてフィルタ２０の表面を非人為的に清掃することが可能な空気清浄機１００を提供することができる。
【００４９】
空気清浄機１００では、集塵装置３０はサイクロン装置である。これにより、空気清浄機１００において塵埃等の粗塵を回収するときの性能の低下を抑制することができる。
【００５０】
空気清浄機１００は、透明状の窓３を備えている。窓３は、通風路１２を形成する空気清浄機１００の外枠１に、配置されている。
【００５１】
空気清浄機１００の使用者は、通風路１２を通る塵埃を、空気清浄機１００の外部から窓３を通して視認することができる。つまり、使用者は、フィルタ２０に付着した汚れの程度を、窓３を通して視認することができる。そのため、空気清浄機１００は、使用者に対して利便性が図られた機器であるといえる。
【００５２】
空気清浄機１００では、フィルタ２０はプレフィルタ２１と高密度フィルタ２２とを有している。プレフィルタ２１は粗塵を捕捉する。高密度フィルタ２２には、吸着材が坦持されている。高密度フィルタ２２は微粒子を捕捉する。また、プレフィルタ２１と高密度フィルタ２２とは、通風路１１を流れる空気の流れ方向の上流から下流に向かってプレフィルタ２１と高密度フィルタ２２との順に通風路１１に配置されている。
【００５３】
集塵装置３０がプレフィルタ２１の表面に堆積した粗塵を回収することにより、プレフィルタ２１の表面の汚れが除去される。通風路１１を流れる空気に含まれる粗塵はプレフィルタ２１の表面に容易に付着するため、プレフィルタ２１の表面に堆積した粗塵は送風機の風力によってプレフィルタ２１の表面から比較的簡単に除去される。また、空気清浄機１００が窓３を備えている場合は、使用者は、プレフィルタ２１の表面から除去される粗塵を、窓３を通して視認することができる。
【００５４】
通風路１２の開口部１３は、通風路１１を流れる空気の流れ方向に対して略直角方向を向くように、通風路１１に向かって開口している。
【００５５】
空気清浄機１００では、集塵装置３０が塵埃を回収するときの通風路１２での空気の流れは、送風機１０によって送風される通風路１１の空気の流れの影響を受けにくい。例えば、送風機１０によって送風される通風路１１の空気の流れ方向に対し、通風路１２を流れる空気の流れ方向が略同一方向であるように、開口部１３が通風路１１に向かって開口している場合は、通風路１２を流れる空気の流れは、フィルタ２０の表面に堆積した塵埃をフィルタ２０にさらに付着させるように作用する。また、例えば、通風路１２を流れる空気の流れ方向が、送風機１０によって送風される通風路１１の空気の流れ方向に対して略逆方向である場合は、送風機１０が発生させる風が通風路１２から集塵装置３０に流れにくい。このように、空気清浄機１００では、送風機１０が発生させる風力を効率よく発揮させることができる。
【００５６】
以上のように、本実施形態によれば、比較的簡素な機構を用いてフィルタ２０の表面を非人為的に清掃することが可能な空気清浄機１００を提供することができる。
【００５７】
（第２実施形態）
以下では、空気清浄機２００について説明する。なお、前記第１実施形態と同一の構成要件については、同符号を付し、説明を省略する。
【００５８】
図５に示すように、空気清浄機２００は、清掃部材７０を備えている。清掃部材７０は、フィルタ２０に堆積した塵埃を掃くことによってフィルタ２０から塵埃を除去する。清掃部材７０は、フィルタ２０の前方であって空気清浄機２００の前部に配置されている。清掃部材７０の正面が空気清浄機２００の前方から後方に向かう方向を向くように、清掃部材７０は空気清浄機２００の外枠１の内部に配置されている。清掃部材７０は、通風路１１の一部であって外枠１とフィルタ２０との間に形成された空間に配置されている。
【００５９】
図６に示すように、清掃部材７０は、フレーム７１とブラシ７２と把持部７３とを有している。ブラシ７２と把持部７３とは、フレーム７１に対して固定されている。ブラシ７２の先端７２ｐがフィルタ２０のうちのプレフィルタ２１の表面に堆積した粗塵を掃くことができるように、ブラシ７２は、プレフィルタ２１の表面の前方に配置されている。ブラシ７２の先端７２ｐは、プレフィルタ２１の表面に面している。図５に示すように、把持部７３は、吸入口２を形成している部分の外枠１から空気清浄機２００の外方に突出している。
【００６０】
空気清浄機２００の使用者が清掃部材７０の把持部７３を把持して、図５の左右方向（空気清浄機２００の幅方向）にフィルタ２０に対して清掃部材７０を摺動させる場合は、ブラシ７２がフィルタ２０の表面を掃く。これにより、フィルタ２０に堆積した塵埃がフィルタ２０から除去される。さらに、障壁部材４０が開口部１３を開放し且つ送風機１０が作動している場合に使用者が清掃部材７０を図５の左右方向に摺動させるときは、フィルタ２０の表面から除去された塵埃が通風路１２を通って集塵装置３０の内部に回収される。
【００６１】
図７に示すように、空気清浄機２００の通風路１２は、外枠１の内部において空気清浄機１００（図４参照）に比べて下方に配置されている。そのため、空気清浄機２００では、集塵装置３０は、フィルタ２０から除去されて通風路１１の下部に落下した塵埃を回収しやすい。
【００６２】
図６に示すように、清掃部材７０のブラシ７２は障壁部７２１を有している。障壁部７２１は、ブラシ７２のうちの空気清浄機２００の最も右側に配置される部分である。障壁部７２１は、ブラシ７２の他の部分よりも高密度の材料で形成されていてもよい。その場合には、空気清浄機２００は障壁部材４０を備えていなくてもよい。障壁部７２１がブラシ７２の他の部分よりも高密度の材料で形成されている場合は、障壁部材４０が空気清浄機２００に備えられていなくても、障壁部７２１は通風路１２の開口部１３を閉塞することができる。このように、清掃部材７０は、障壁部材としての障壁部７２１を有している。
【００６３】
以上のように、空気清浄機２００は、清掃部材７０をさらに備えている。清掃部材７０は、フィルタ２０に堆積した塵埃を掃くことによって塵埃をフィルタ２０から除去する。
【００６４】
空気清浄機２００では、送風機１０は、清掃部材７０によってフィルタ２０から除去された塵埃を通風路１１から通風路１２に流す。集塵装置３０は、通風路１２に流れる空気に含まれた塵埃を回収する。すなわち、送風機１０が発生させる風力のみによってフィルタ２０の表面に堆積した塵埃を集塵装置３０が回収する場合に比べ、フィルタ２０の表面の汚れをさらに除去することができる。そのため、空気清浄機２００は、より清潔にフィルタ２０の表面を清掃することができる。
【００６５】
また、空気清浄機２００では、清掃部材７０は、障壁部材としての障壁部７２１を有している。このように、清掃部材７０は障壁部材を兼ねている。これにより、空気清浄機２００に係る部品の点数を削減することができる。また、空気清浄機２００の使用者が清掃部材７０を用いてフィルタ２０の表面を掃く際は、障壁部材としての清掃部材７０が移動することによって通風路１２の開口部１３が開放される。すなわち、空気清浄機２００では、清掃部材７０によってフィルタ２０の表面が掃かれるときには、都合よく開口部１３が開放される。開口部１３が開放されるときには、フィルタ２０の表面に堆積した塵埃とフィルタ２０から除去された塵埃とを集塵装置３０が回収することができる。
【００６６】
以上のように、本実施形態によれば、比較的簡素な機構を用いてフィルタ２０の表面を非人為的に清掃することが可能な空気清浄機２００を提供することができる。
【００６７】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正と変形を含むものである。
【符号の説明】
【００６８】
１：外枠、３：窓、１０：送風機、１１：通風路、１２：通風路、１３：開口部、２０：フィルタ、２１：プレフィルタ、２２：高密度フィルタ、２８：（フィルタの）上流端、２９：（フィルタの）下流端、３０：集塵装置、４０：障壁部材、７０：清掃部材、７２１：障壁部、１００：空気清浄機
【図１】
2012037082.tif 000003
【図２】
2012037082.tif 000004
【図３】
2012037082.tif 000005
【図４】
2012037082.tif 000006
【図５】
2012037082.tif 000007
【図６】
2012037082.tif 000008
【図７】
2012037082.tif 000009
【図８】
2012037082.tif 000010